(57)【要約】【課題】  建物内の防火区画を、巻き取り格納可能な遮熱シートで可能とした、遮熱シートによる防火区画形成装置を提供する。【解決手段】  建物の通路などの開口部を遮断する遮熱シート２を開閉機構３によって開口部を遮断する構成とし、この開閉機構３は、前記遮熱シート２を巻き取り状態で保持する回動軸６を設け、前記遮熱シート２を、巻き取り保持した前記回動軸６から、上下プーリ８，９に架け渡した線状部材７の張力下に繰り出して、側縁部２Ｅ，２Ｅを、前記柱状枠体４内のガイドレール１０に沿って昇降する構成して、下縁部の着床不燃部材２Ｔを床面に接地させる構成とする。  また、柱状枠体４内には、前記遮熱シート２による開口部の遮断時に、遮熱シート２を前記ガイドレール１０に至る柱状枠体４開口表面の端側に圧着する押え部材１１を回動可能に設ける構成とする。【選択図】              図１
2007111207.tif 000002
【特許請求の範囲】
【請求項１】
建物開口部を遮断する遮熱シートにおいて、前記開口部上部側の両側壁面間に架け渡された回動軸に前記遮熱シートを巻き取り格納すると共に、前記遮熱シートの両側縁部に沿って線状部材を取着して、この線状部材を前記開口部の両側壁上下に配置した上下プーリに所定の張力を与えた状態で架け渡し、前記遮熱シートの両側縁部を前記両側壁面に設けた、上下に延設するガイドレールに沿って昇降可能に配置し、前記遮熱シートによる開口部の遮断時に、遮熱シートを前記ガイドレールに至る側壁の端側に圧着する押え部材を設ける構成としたことを特徴とする遮熱シートによる防火区画形成装置。
【請求項２】
前記遮熱シートの下縁部に柔軟性を有する着床不燃部材を設ける構成としたことを特徴とする請求項１記載の遮熱シートによる防火区画形成装置。
【請求項３】
前記着床不燃部材が接する床面側に凹溝を設けたことを特徴とする請求項２記載の遮熱シートによる防火区画形成装置。
【請求項４】
前記ガイドレールの頂部側の遮熱シート侵入部に煙漏洩防止用の狭隘スリット部を設ける構成としたことを特徴とする請求項１ないし３記載のうち、いずれか１記載の遮熱シートによる防火区画形成装置。
【請求項５】
前記押え部材は、前記遮熱シートによる開口部の遮断時と連動して遮熱シートを前記ガイドレールに至る側壁の端側に圧着する構成としたことを特徴とする遮熱シートによる防火区画形成装置。
【発明の詳細な説明】
【技術分野】
【０００１】
本発明は、建物内の防火区画を、巻き取り格納可能な遮熱シートで可能とした、遮熱シートによる防火区画形成装置に関するものである。
【背景技術】
【０００２】
従来より、建物内には、火災発生時の有効な延焼防止手段として、火炎、煙等を遮断する防火扉、防火シャッター等が設けられてきた。このような防火扉、防火シャッターは、火災が発生している間、遮熱性、遮炎性、および遮煙性の３つの性能を満足することが不可欠である。
【０００３】
また最近では、上述のような防火扉、防火シャッターの他、
【特許文献１】特願２０００−１８６５０がある。  ここで開示される防火区画用耐火スクリーン装置では、可撓性の遮熱スクリーンとガイドレールとの隙間に加熱時に炭化膨張する感熱性発泡材を用いた封止部材を設ける構成としている。
【発明の開示】
【発明が解決しようとする課題】
【０００４】
しかしながら、上述の防火区画用耐火スクリーン装置では、遮熱スクリーンの両端部のガイドレールに隙間が生じて、防火区画性能を低下させる虞がある。また前記遮熱スクリーンとガイドレールとの隙間を封止するために感熱性発泡材を用いると、遮熱スクリーンの点検時の開閉動作により、前記感熱性発泡材が損傷して、防火区画性能を低下させる虞がある。
本発明は、このような課題を解決するために提案されたものであって、巻き取り格納可能な遮熱シートで、確実に建物内の防火区画を可能とした、遮熱シートによる防火区画形成装置を提供することを目的とする。
【課題を解決するための手段】
【０００５】
前記した課題を解決するために、本発明では、請求項１において、建物開口部を遮断する遮熱シートにおいて、前記開口部上部側の両側壁面間に架け渡された回動軸に前記遮熱シートを巻き取り格納すると共に、前記遮熱シートの両側縁部に沿って線状部材を取着して、この線状部材を前記開口部の両側壁上下に配置した上下プーリに所定の張力を与えた状態で架け渡し、前記遮熱シートの両側縁部を前記両側壁面に設けた、上下に延設するガイドレールに沿って昇降可能に配置し、前記遮熱シートによる開口部の遮断時に、遮熱シートを前記ガイドレールに至る側壁の端側に圧着する押え部材を設ける構成とした遮熱シートによる防火区画形成装置を提案する。
また本発明では、請求項２において、前記遮熱シートの下縁部に柔軟性を有する着床不燃部材を設ける構成とした遮熱シートによる防火区画形成装置を提案する。
また本発明では、請求項３において、前記着床不燃部材が接する床面側に凹溝を設けた遮熱シートによる防火区画形成装置を提案する。
また本発明では、請求項４において、前記ガイドレールの頂部側の遮熱シート侵入部に煙漏洩防止用の狭隘スリット部を設ける構成とした遮熱シートによる防火区画形成装置を提案する。
さらに本発明では、請求項５において、前記押え部材は、前記遮熱シートによる開口部の遮断時と連動して遮熱シートを前記ガイドレールに至る側壁の端側に圧着する構成とした遮熱シートによる防火区画形成装置を提案する。
【発明の効果】
【０００６】
本発明によれば、建物内の防火区画を、巻き取り格納可能な遮熱シートで可能とした、防火区画形成装置を提供することができる。
【０００７】
請求項１によれば、格納カバー内の回動軸に巻き取り保持されていた遮熱シートは、格納カバーから、遮熱シートの自重により繰り出され、上下プーリに架け渡した線状部材の張力下に、遮熱シートの両側縁部が、柱状枠体内のガイドレールに沿って下降し、遮熱シート下縁部が床面に接地して、建物開口部を遮断することができる。
【０００８】
請求項２によれば、着床不燃部材は柔軟性を有しているので、隙間なく床面に密着し、火炎や煙が漏洩するようなことはない。
また、前記着床不燃部材に誤って物や人が挟まれるようなことがあっても、物を速やかに簡単に取り除くことができ、人を怪我することもなく救助することができる。
【０００９】
請求項３によれば、着床不燃部材が床面に接地した際、床面側の凹溝に埋没した状態で係合し、一層、火炎や煙の遮蔽性が高まる。
【００１０】
請求項４によれば、前記ガイドレールの頂部側の遮熱シート侵入部に狭隘スリット部を設けたことで、確実に、煙漏洩を防止することができる。
【００１１】
請求項５によれば、遮熱シートにより開口部の遮断するだけで、自動的に押え部材により、遮熱シートを前記ガイドレールに至る側壁の端側に圧着することができる。
【発明を実施するための最良の形態】
【００１２】
以下、本発明にかかる遮熱シートによる防火区画形成装置につき、一つの実施の形態を挙げ、添付の図面に基づいて説明する。
【実施例】
【００１３】
図１に、本発明にかかる遮熱シートによる防火区画形成装置１を示す。この防火区画形成装置１は、例えば建物の通路などの開口部を遮断する遮熱シート２を備え、この遮熱シート２は、以下のように開閉機構３によって開口部を遮断する構成としている。
すなわちこの開閉機構３は、前記開口部を挟んで対向するように両側壁Ｗ面内に形成した、横断面正方形状の柱状枠体４、４と、これら柱状枠体４、４間に横設した格納カバー５に機構部を内装している。
前記双方の柱状枠体４は、対向面が開口してあり、前記格納カバー５に内蔵すると共に、両端側を前記双方の柱状枠体４内にそれぞれ臨入させて、両端部を回動可能に回動軸６を設けている。そしてこの回動軸６には、前記遮熱シート２を巻き取り状態で保持している。
前記遮熱シート２には、両側縁部２Ｅ，２Ｅに沿って鋼線等の線状部材７が縁部によって折り返し縫着されている。
この線状部材７は、前記開口部の両側壁Ｗ上下に配置した上下プーリ８，９に所定の張力を与えた状態で架け渡している。
このような状態で前記遮熱シート２は、巻き取り保持した前記回動軸６から、上下プーリ８，９に架け渡した線状部材７の張力下に繰り出して、前記両側縁部２Ｅ，２Ｅが、前記柱状枠体４内において、上下に延設するガイドレール１０に沿って昇降する構成である。
そして、前記双方の柱状枠体４内には、前記遮熱シート２による開口部の遮断時に、遮熱シート２を前記ガイドレール１０に至る柱状枠体４開口表面の端側に圧着する押え部材１１を回動可能に設ける構成としている。
【００１４】
前記遮熱シート２は、例えば周知の不燃性の織布や断熱材を積層して構成しており、可撓性に富んだ構成としている。また、前記遮熱シート２の床面側に接地する下縁部には、断面略台形状の柔軟性に富む着床不燃部材２Ｔを設けるようにしている。なお、この着床不燃部材２Ｔが接地する床面側に凹溝（図示省略）を形成して、前記着床不燃部材２Ｔが遮熱シート２の重量で前記凹溝に埋没した状態で係合させるようにしてもよい。
【００１５】
前記柱状枠体４と前記格納カバー５とは、両側壁Ｗ内で連通しており、前記格納カバー５は、天井内に埋め込まれており、下面を通路側に繰り出し用スリット（図示省略）を開口させて、このスリットに前記遮熱シート２下縁部の着床不燃部材２Ｔが係合状態で保持し、適宜な解除手段によって前記遮熱シート２が床面に向かって垂下可能としている。
【００１６】
また、前記柱状枠体４内のガイドレール１０は、図３に示すように、柱状枠体４の開口面Ｏに向けて開口した、断面コ型形状に形成して、線状部材７を縫着した遮熱シート２の縁部２Ｅの案内面としている。このガイドレール１０から、欠部１２を介して段差なく柱状枠体４の開口面Ｏを形成する内縁部１３に至っており、この内縁部１３と前記ガイドレール１０とに、遮熱シート２を密接可能としている。
さらに前記ガイドレール１０と内縁部１３と前記柱状枠体４間には、断面Ｌ型状の断熱材１４を介装している。
【００１７】
そして、前記押え部材１１は、断面略コ型形状の長尺な枠体で構成され、双方の柱状枠体４内において鉛直状に設けた軸部材Ｘを中心に変位可能に軸止めされており、例えば遮熱シート２を巻き取る回動軸６に、適宜な連動機構（図示省略）により連動させて、遮熱シート２による開口部の遮断時に、前記ガイドレール１０と柱状枠体４開口面Ｏを形成する内縁部１３間の欠部１２を介して、柱状枠体４内の断熱材１４側に遮熱シート２を押し付けて、前記柱状枠体４開口面Ｏの内縁部１３端側に圧着するようにしている。
【００１８】
本発明にかかる防火区画形成装置１は、以上のように構成されるものであり、次にその作用を説明する。
今、火災が発生したとすると、格納カバー５内の回動軸６に巻き取り保持されていた遮熱シート２は、解除手段を操作することで、格納カバー５下面のスリットに係合状態にあった着床不燃部材２Ｔが外れ、遮熱シート２の自重により、遮熱シート２が格納カバー５下面のスリットから繰り出され（図２、図４参照）、上下プーリ８，９に架け渡した線状部材７の張力下に、遮熱シート２の両側縁部２Ｅ，２Ｅが、柱状枠体４内のガイドレール１０に沿って下降し、遮熱シート２下縁部の着床不燃部材２Ｔが床面に接地して、開口部である通路の遮断が完了する（図１、図５、図７参照）。
【００１９】
前記遮熱シート２が下降する間、前記回動軸６が回転し、回動軸６に連動機構が連動して、着床不燃部材２Ｔが床面に接地するタイミングで押え部材１１を、軸部材Ｘを中心に変位させることができる。
これによって、前記ガイドレール１０と柱状枠体４開口面Ｏを形成する内縁部１３間の欠部１２を介して、前記押え部材１１により柱状枠体４内の断熱材１４に遮熱シート２が押し付けられるので、結果、前記ガイドレール１０から柱状枠体４開口面Ｏの内縁部１３に至る面に遮熱シート２が圧着し、通路が完全に閉止された状態となり、火炎は勿論、煙も柱状枠体４内に侵入するのを防止することができる（図６参照）。
【００２０】
なお、前記着床不燃部材２Ｔが床面に接地すると、着床不燃部材２Ｔは柔軟性に富む素材で構成したので、隙間なく床面に密着し、火炎や煙が漏洩するようなことはない。また、前記着床不燃部材２Ｔに誤って物や人が挟まれるようなことがあっても、物を速やかに簡単に取り除くことができ、人を怪我することもなく救助することができる。
【００２１】
以上、本発明にかかる遮熱シートによる防火区画形成装置１について一つの実形態を挙げ、説明したが、本発明は、前記ガイドレール１０の頂部側の遮熱シート２侵入部に煙漏洩防止用の狭隘スリット部１５（図４、図７参照）を設ける構成とすることができる。
このようにすることで、一層、煙の遮断性を高めることができる。
【００２２】
さらに、遮熱シート２下縁部の着床不燃部材２Ｔが接地する床面側に、凹溝（図示省略）を設けるようにすると、一層、火炎、煙の遮蔽性を高めることができる。
【図面の簡単な説明】
【００２３】
【図１】本発明にかかる遮熱シートによる防火区画形成装置の一例を示す、模式的な斜視説明図である。
【図２】図１に示す防火区画形成装置の遮熱シートを下降させる際の作用説明図である。
【図３】図２に示す防火区画形成装置の、Ａ−Ａ線に沿って切断して見た横断面説明図である。
【図４】図２に示す防火区画形成装置の、Ｂ方向から見た省略的な縦断面説明図である。
【図５】図１に示す防火区画形成装置の遮熱シートを下降させた状態を示す、作用説明図である。
【図６】図５に示す防火区画形成装置の、Ａ−Ａ線に沿って切断して見た横断面説明図である。
【図７】図５に示す防火区画形成装置の、Ｂ方向から見た省略的な縦断面説明図である。
【符号の説明】
【００２４】
１                    防火区画形成装置
２                    遮熱シート
２Ｅ                  側縁部
２Ｔ                  着床不燃部材
３                    開閉機構
４                    柱状枠体
５                    格納カバー
６                    回動軸
７                    線状部材
８                    上プーリ
９                    下プーリ
１０                  ガイドレール
１１                  押え部材
１２                  欠部
１３                  内縁部
１４                  断熱材
１５                  狭隘スリット部
Ｗ                    側壁
Ｏ                    開口面
Ｘ                    軸部材
【図１】
2007111207.tif 000003
【図２】
2007111207.tif 000004
【図３】
2007111207.tif 000005
【図４】
2007111207.tif 000006
【図５】
2007111207.tif 000007
【図６】
2007111207.tif 000008
【図７】
2007111207.tif 000009